(57)【要約】【目的】  メッセージを送りたい相手毎に、メッセージ動画を配信可能なカード類を提供すること。【構成】ｗｅｂアドレスがエンコードされた二次元コード及びユーザーＩＤを印刷した一対のカードと、携帯型情報端末と、サーバ装置とを備え、携帯型情報端末は、一方のカードに印刷された登録用の二次元コードにエンコードされたウェブアドレスを通じてサーバに動画ファイルを送信する動画ファイル送信手段と、他方のカードに印刷された受信用の二次元コードにエンコードされたウェブアドレスを通じてサーバに登録された動画ファイルを受信する受信手段と、受信した動画ファイルを再生する再生手段を有し、サーバは、動画ファイルの登録処理手段と、動画ファイルの制御処理手段と、登録処理又は制御処理後によって作成、保存された再生ファイルの再生処理手段を有する動画配信システムとして構成される。【選択図】        図１
2014216729.tif 000002
【特許請求の範囲】
【請求項１】
少なくともｗｅｂアドレスがエンコードされた二次元コード及びユーザーＩＤを印刷した一対のカードと、当該二次元コードを読み取り可能な携帯型情報端末と、サーバ装置とを備え、
携帯型情報端末は、一方のカードに印刷された登録用の二次元コードにエンコードされたウェブアドレスを通じてサーバに動画ファイルを送信する動画ファイル送信手段と、他方のカードに印刷された受信用の二次元コードにエンコードされたウェブアドレスを通じてサーバに登録された動画ファイルを受信する受信手段と、受信した動画ファイルを再生する再生手段を有し、
サーバは、動画ファイルの登録処理手段と、動画ファイルの制御処理手段と、登録処理又は制御処理後によって作成、保存された再生ファイルの再生処理手段を有する動画配信システム。
【請求項２】
二次元コードに代え、ｗｅｂアドレスを印刷した請求項１に記載の動画配信システム。
【請求項３】
一対のカードのうちの一方が貼着可能なシール状である請求項１又は請求項２記載の動画配信システム。
【発明の詳細な説明】
【技術分野】
【０００１】
本発明は動画配信システムを備えたカード類に関し、より詳しくは、挨拶状やはがき、席札その他カード類やシールに記載されたコード情報を用いてインターネットに接続したユーザに対し、動画配信を可能とした動画配信システムを備えたカード類に関する。
【背景技術】
【０００２】
特許文献１には、２次元バーコードシールを介した動画配信システムが開示されている。具体的には、携帯電話を用いて２次元バーコードシールを読み取り、ｗｅｂアドレスとユーザＩＤを取得する。次いで取得したｗｅｂアドレスによりアクセスデータ管理部に接続し、ユーザＩＤを送信すると、ユーザデータ管理部が携帯電話から送信されたユーザ情報をユーザＩＤと関連づけてユーザデータベースに保存し、マルチメディアデータ受信部が携帯電話から送信された動画情報等のマルチメディアデータを受信し、マルチメディアデータ管理部がユーザＩＤと関連づけてユーザデータベースに保存する。その後、いずれかの携帯電話により２次元バーコードシールを読み取ると、マルチメディアデータ配信部がユーザＩＤで特定されるマルチメディアデータをユーザデータベースから読み出し、携帯電話に配信するものである。
【０００３】
特許文献２には、様々な種類の携帯型無線通信機に対して配信可能な動画配信システムが開示されている。具体的には、動画データを再生する携帯型無線通信機と、当該携帯型無線通信機がネットワークを介して接続可能なサーバと、を備え、前記携帯型無線通信機は、前記再生すべき動画データに対応する２次元コードが付された書籍から前記２次元コードを読み取る２次元コード読取手段と、前記読み取られた２次元コードに対応する動画データの配信要求を前記サーバに送信する配信要求送信手段と、前記サーバから配信されてきた動画データを再生する再生手段と、を有し、前記サーバは、前記携帯型無線通信機から送信されてきた前記配信要求に基づいて、当該携帯型無線通信機の種類を判別する種類判別手段と、前記配信要求に対応する動画データのうち、前記判別された種類の携帯型無線通信機の動画データ再生能力に応じた動画データを取得する取得手段と、前記取得された動画データを前記携帯型無線通信機に配信する配信手段とを備えるものである。
【先行技術文献】
【特許文献】
【０００４】
【特許文献１】特開２００７−１７４２２７号公報
【特許文献２】特開２００９−１０５５９１号公報
【発明の概要】
【発明が解決しようとする課題】
【０００５】
例えば結婚式の披露宴において、お色直しで新郎新婦が中座した時などは、列席者が時間を持て余すことが多々ある。かかる場合に、列席者各々に対して新郎新婦よりの動画メッセージが届けられれば、列席者が時間を持て余すこともなく、更には心のこもった歓待が可能となる。本発明は係る動画配信可能なカード類を提供することを目的とする。
【課題を解決するための手段】
【０００６】
上記の目的を達成する本発明の構成は次の通りである。
【０００７】
（１）  請求項１に記載の発明は、少なくともｗｅｂアドレスがエンコードされた二次元コード及びユーザーＩＤを印刷した一対のカードと、当該二次元コードを読み取り可能な携帯型情報端末と、サーバ装置とを備え、携帯型情報端末は、一方のカードに印刷された登録用の二次元コードにエンコードされたウェブアドレスを通じてサーバに動画ファイルを送信する動画ファイル送信手段と、他方のカードに印刷された受信用の二次元コードにエンコードされたウェブアドレスを通じてサーバに登録された動画ファイルを受信する受信手段と、受信した動画ファイルを再生する再生手段を有し、サーバは、動画ファイルの登録処理手段と、動画ファイルの制御処理手段と、登録処理又は制御処理後によって作成、保存された再生ファイルの再生処理手段を有する動画配信システムとして構成される。
【０００８】
（２）  請求項２記載の発明は、請求項１に記載の動画配信システムにおいて、二次元コードに代え、ｗｅｂアドレスを印刷して構成した。
【０００９】
（３）請求項３記載の発明は、請求項１又は請求項２に記載の動画配信システムにおいて、一対のカードのうちの一方を貼着可能なシール状に構成した。
【発明の効果】
【００１０】
本発明は、例えば新郎・新婦と披露宴列席者との間で、動画配信が行われるシステムであって、一対のカードのうちの一方に記載された登録用の二次元コードを、新郎・新婦側が携帯電話やスマートファン等の携帯型情報端末で読み取り、予め動画を送りたい相手毎に撮影された動画を、ユーザーＩＤと共に、サーバに登録しておく。他方のカードは披露宴の席に例えば席札として配布されており、列席者は受信用の二次元コードを携帯電話やスマートファン等の携帯型情報端末で読み取り、エンコードされたウェブアドレスを通じてユーザーＩＤを入力することで、自分向けに予め録画された動画を受信し、或るいはダウンロードし、再生するものである。
【００１１】
かように、本発明によれば、披露宴において新郎新婦が中座してるときなどの余興を提供でき、しかも列席者ごとに宛てられた、個別的なメッセージ動画を配信可能であり、心のこもった歓待が可能となる。  
【００１２】
他にも年賀状や、名刺、礼状、その他様々なカード類を利用して、本発明に係る動画配信システムを実施可能であり、様々な場面における新規で、心のこもったおもてなしが可能となるものである。
【図面の簡単な説明】
【００１３】
【図１】本発明の二次元コードによる動画配信システムの構成説明図。
【図２】動画配信側コード情報を用いた動画配信方法を説明するためのフローチャート
【図３】動画配信側コード情報を用いた動画配信方法を説明するためのフローチャート
【図４】動画受信側コード情報を用いた動画受信方法を説明するためのフローチャート
【図５】動画受信側コード情報を用いた動画受信方法を説明するためのフローチャート
【図６】カードの一例を示す説明図
【発明を実施するための形態】
【００１４】
以下、好ましい発明の一実施形態につき、図面を参照しながら概説する。なお、本発明の実施の形態は、下記の実施形態に何ら限定されることはなく、本発明の技術的範囲に属する限り種々の形態を採りうる。
【００１５】
本発明に係る動画配信システムは、図１に示すように、少なくともｗｅｂアドレスがエンコードされた二次元コード及びユーザーＩＤを印刷した動画ファイルの登録用のカード1０と、少なくともｗｅｂアドレスがエンコードされた二次元コード及びユーザーＩＤを印刷した動画ファイルの受信・閲覧用のカード２０と、これら２次元コードのそれぞれに記録されたウェブアドレスを読み込むことでサーバ４０にアクセス可能な複数の携帯型情報端末端末３０と、携帯型情報端末端末３０からのアクセスによって動画ファイルの登録処理、動画ファイルの制御処理、登録処理又は制御処理後によって作成、保存された再生ファイルの再生処理を行うサーバ４０とから構成され、携帯型情報端末端末３０とサーバ４０とはネットワークとしてのインターネット５０を介して相互に通信できるようになっている。
【００１６】
なお、二次元コードに代え、ｗｅｂアドレス自体を印刷しても構わない。
【００１７】
図６Ａは登録用カード１０の一例を示すものであり、２次元コードＮ１、ユーザーＩＤ１１が印刷されたものである。図６Ｂは受信閲覧用カード２０の一例を示すものであり、二次元コードＮ２、ユーザーＩＤ２１、及びメッセージを送る相手の氏名記載欄２２が印刷されたものである。なお、登録用カード１０と受信閲覧用カード２０は一対のものであり、ユーザーＩＤ１１，２１を入力することで、後述のサーバ４０に保存された同一動画ファイルにアクセスするものである。
【００１８】
なお、二次元コードとしてはバーコードやＱＲコード（登録商標）を利用できる。２次元コード情報は、たとえば配布物に印刷されて、或るいは請求項２記載の発明に於けるようにシールとして貼付して、配布されるものである。配布物としては、席札、年賀状、礼状、新聞、雑誌、広告、自社パンフレット、折込チラシ、ＰＯＰ、チケット、切符、名刺等である。また、カードそれ自体をカード型媒体、あるいは貼着可能なシール形状のカード型媒体として市場に提供してもよい。また、一対の２次元コードＮ１、Ｎ２には各組にそれぞれ対応するユーザＩＤが付されている。
【００１９】
携帯型情報端末端末３０は、２次元コードのそれぞれにエンコードされたウェブアドレスを読み込むことでサーバにアクセス可能であり、複数個用意される。携帯型情報端末３０としては携帯電話やスマートフォン、タブレット型情報端末等であり、インターネットに接続可能な端末を利用できる。
【００２０】
各携帯型情報端末端末３０は、登録用の二次元コードＮ１に記録されたウェブアドレスを通じてサーバに動画ファイルを送信する動画ファイル送信手段と、閲覧用の二次元コードＮ２に記録されたウェブアドレスを通じてサーバ４０に登録された動画ファイルの受信し、携帯型情報端末端末３０上で再生する受信再生手段とを具備する。  
【００２１】
具体的には携帯型情報端末端末３０は、撮像素子であるＣＣＤを搭載したカメラを用いての撮影機能を有しているものであり、ＣＣＤ読取部３１、デコード部３２、ブラウザフォン機能部３３、記憶部３４、制御部３５を備えている。
【００２２】
ＣＣＤ読取部３１は、ＣＣＤカメラによって撮影された画像情報を読取ると共に、動画を配信する側が挨拶や、感謝の言葉等の動画を撮影するものである。ここで、画像情報としては、撮像素子にて撮影可能であれば静止画や動画の何れであってもよい。本実施の形態では、カード１０、２０に印刷されている２次元コード情報としてのたとえばＱＲコード（登録商標）Ｎ１、Ｎ２を抽出して読取るものとする。ＣＣＤ読取部３１によって読取られたＱＲコード（登録商標）Ｎ１、Ｎ２は、一旦、記憶部３４に格納される。
【００２３】
デコード部３２は、ＣＣＤ読取部３１によって読取られたＱＲコード（登録商標）Ｎ１、Ｎ２をデコードするものである。
【００２４】
ブラウジング機能部としてのブラウザフォン機能部３３は、所定の制御プログラムに従い、デコード部３２によってデコードされたｗｅｂアドレスに基づいてｗｅｂページへのアクセスを行うとともに、アクセス先からの詳細情報をたとえばパケットで受取ると、その詳細情報を携帯型情報端末３０の画面に表示させ、あるいは携帯型情報端末３０にダウンロードするようになっている。
【００２５】
記憶部３４には、ＣＣＤ読取部３１によって読取られたコードＮ１、Ｎ２、ダウンロードされた動画データ等が格納される。制御部３５は、所定の制御プログラムに従って、各部の動作を制御するものである。
【００２６】
サーバ４０は、携帯型情報端末３０からのアクセスによって動画ファイルの登録処理を行う登録手段４１と、動画ファイルの制御処理を行う制御手段４２と、登録処理又は制御処理後によって作成、保存された再生ファイルの再生処理を行う再生手段４３とを具備する。
【００２７】
サーバ４０は、上記各種手段以外にも、複数の保存ファイルを保存する編集用フォルダー、出力ファイルを保存する出力用フォルダー、各ファイルの生成経過中に作成される一時ファイルを保存する保存領域として一時ファイル用フォルダー等を有する。登録手段４１、制御手段４２、再生手段４３の各プログラムの実行によってこれらファイル内の情報が登録、制御、更新、送信されるものである。
【００２８】
サーバの保存領域には、複数個の保存ファイルを保存可能である。登録手段４１において保存され、制御手段４２によってアクセスされ取得される。
【００２９】
登録手段４１は、動画ファイルの登録処理を行うプログラムであり、登録用コードＮ１へのアクセスによって携帯型情報端末３０から受信した動画ファイルを保存ファイルとして第一保存領域へ保存（一次保存）し、あるいは前記動画ファイルを複製及び変換して再生用を作成し、第二保存領域へ保存（二次保存）する。
【００３０】
具体的には、携帯型情報端末３０から動画を添付したメール（動画メール）が送付され、メールサーバーが動画メールを受信すると、ドメインごとにメールを振り分けてウェブサーバーの特定アドレスに転送することで動画ファイルが保存されるものである。
【００３１】
あるいは、スマートフォンのアプリケーションプログラムによりサーバー４０に送信し、登録手段４１に保存しても良い。
【００３２】
制御手段は、動画ファイルの制御処理を行うプログラムであり、受信用の二次元コードＮ２へのアクセスによる携帯型情報端末３０からの制御情報に応じて、前記第一保存領域或るいは第２保存領域に保存された保存ファイルを再生し、或るいは、受信側の携帯型情報端末３０に送信するものである。
【００３３】
次に、上記のように構成される２次元コード情報を用いた動画配信システムを、ステップごとに説明する。
【００３４】
図２は動画配信側の過程を示すものである。まず、携帯型情報端末３０で予めメッセージを含んだ動画を撮影し記憶部３４に保存する（ステップ２００）。
【００３５】
次いで、携帯型情報端末３０のＣＣＤカメラにより、登録用カード１０に印刷されている２次元コード情報としてのたとえばＱＲコード（登録商標）Ｎ１が撮影されると（ステップ２０１）、ＣＣＤ読取部３１によりその撮影されたＱＲコード（登録商標）Ｎ１が読取られる（ステップ２０２）。ＱＲコード（登録商標）を読み取り機能、デコード機能を有しない携帯型情報端末の場合は、読み取り機能、デコード機能を有するアプリケーションソフトを記憶部３４にダウンロードして対応するものである。
【００３６】
ＣＣＤ読取部３１により読取られたＱＲコード（登録商標）Ｎ１は、一旦、記憶部３４に格納される（ステップ２０３）。ＱＲコード（登録商標）Ｎ１が記憶部３４に格納されると、デコード部３２によるＱＲコード（登録商標）Ｎ１のデコードが実行される（ステップ２０４）。このとき、ＱＲコード（登録商標）Ｎ１のデコードによってｗｅｂアドレスが得られるため（ステップ２０５）、ブラウザフォン機能部３３により、そのｗｅｂアドレスに基づいてのｗｅｂページへのアクセスが行われる（ステップ２０６）。ＱＲコード（登録商標）Ｎ１に対応するユーザーＩＤを入力し（ステップ２０７）、メールに添付して動画を送信し（ステップ２０８）、サーバー４０にドメイン毎（ユーザーＩＤ毎）に振り分け保存する（ステップ２０９）ものである。
【００３７】
上記はメールに添付して動画を送信する場合を示しているが、一部スマートフォン機種によっては、メールに添付して動画を送信することが困難な場合がある。かかる場合は図３に示すステップにより動画の登録を行うものである。
【００３８】
すなわち、携帯型情報端末３０のＣＣＤカメラにより、登録用カード１０に印刷されている２次元コード情報としての例えばＱＲコード（登録商標）Ｎ１が撮影されると（ステップ３０１）、ＣＣＤ読取部３１によりその撮影されたＱＲコード（登録商標）Ｎ１が読取られる（ステップ３０２）。ＣＣＤ読取部３１により読取られたＱＲコード（登録商標）Ｎ１は、一旦、記憶部３４に格納される（ステップ３０３）。ＱＲコード（登録商標）Ｎ１が記憶部３４に格納されると、デコード部３２によるＱＲコード（登録商標）Ｎ１のデコードが実行される（ステップ３０４）。このとき、ＱＲコード（登録商標）Ｎ１のデコードによってｗｅｂアドレスが得られるため（ステップ３０５）、ブラウザフォン機能部３３により、そのｗｅｂアドレスに基づいてのｗｅｂページへのアクセスが行われる（ステップ３０６）。当該ｗｅｂページから動画送信機能を有するアプリケーションソフトをダウンロードし起動する（ステップ３０７）、次いで携帯型情報端末３０でメッセージを含んだ動画を撮影しすると共に、ユーザーＩＤを入力し（ステップ３０８）、アプリケーションソフトを通じて、動画をサーバー４０に、ドメイン毎（ユーザーＩＤ毎）に振り分け保存する（ステップ３０９）ものである。
【００３９】
図４は動画受信側の過程を示すものである。まず、携帯型情報端末３０のＣＣＤカメラにより、受信用カード２０に印刷されている２次元コード情報としてのたとえばＱＲコード（登録商標）Ｎ２が撮影されると（ステップ２１０）、ＣＣＤ読取部３１によりその撮影されたＱＲコード（登録商標）Ｎ２が読取られる（ステップ２１１）。ＱＲコード（登録商標）を読み取り機能、デコード機能を有しない携帯型情報端末の場合は、読み取り機能、デコード機能を有するアプリケーションソフトを記憶部３４にダウンロードして対応するものである。
【００４０】
ＣＣＤ読取部３１により読取られたＱＲコード（登録商標）Ｎ２は、一旦、記憶部３４に格納される（ステップ２１２）。ＱＲコード（登録商標）Ｎ２が記憶部３４に格納されると、デコード部３２によるＱＲコード（登録商標）Ｎ２のデコードが実行される（ステップ２１３）。このとき、ＱＲコード（登録商標）Ｎ２のデコードによってｗｅｂアドレスが得られるため（ステップ２１４）、ブラウザフォン機能部３３により、そのｗｅｂアドレスに基づいてのｗｅｂページへのアクセスが行われる（ステップ２１５）。ＱＲコード（登録商標）Ｎ２に対応するユーザーＩＤを入力する（ステップ２１６）。このユーザーＩＤの入力により、ステップ２０７乃至ステップ２０９の過程において保存された動画にアクセスし、アクセス先からの動画情報をたとえばパケットで受取ると（ステップ２１７）、その動画情報は携帯型情報端末３０の画面に表示される（ステップ２１８）ものである。
【００４１】
なお上記ＱＲコードに代え、ｗｅｂアドレスを印刷し、携帯型情報端末３０に直接入力するように構成しても構わない。
【００４２】
また、スマートフォン機種によっては、アプリケーションソフトをダウンロードし、当該アプリケーションソフトを用いて、動画をダウンロードするようにしても構わない。この場合の動画受信側の過程を示すものが図である。
【００４３】
すなわち、携帯型情報端末３０のＣＣＤカメラにより、登録用カード１０に印刷されている２次元コード情報としての例えばＱＲコード（登録商標）Ｎ１が撮影されると（ステップ４０１）、ＣＣＤ読取部３１によりその撮影されたＱＲコード（登録商標）Ｎ１が読取られる（ステップ４０２）。ＣＣＤ読取部３１により読取られたＱＲコード（登録商標）Ｎ１は、一旦、記憶部３４に格納される（ステップ４０３）。ＱＲコード（登録商標）Ｎ１が記憶部３４に格納されると、デコード部３２によるＱＲコード（登録商標）Ｎ１のデコードが実行される（ステップ４０４）。このとき、ＱＲコード（登録商標）Ｎ１のデコードによってｗｅｂアドレスが得られるため（ステップ４０５）、ブラウザフォン機能部３３により、そのｗｅｂアドレスに基づいてのｗｅｂページへのアクセスが行われる（ステップ４０６）。当該ｗｅｂページから動画受信機能を有するアプリケーションソフトをダウンロードし当該アプリケーションソフトを起動する。次いで（ステップ４０７）、ＱＲコード（登録商標）Ｎ２に対応するユーザーＩＤを入力する（ステップ４０８）。アプリケーションソフトを通じて、サーバー４０に、アクセスし、動画配信過程において保存された動画にアクセスし、アクセス先からの動画情報をたとえばパケットで受取ると（ステップ４０９）、その動画情報は携帯型情報端末３０の画面に表示される（ステップ４１０）ものである。
【産業上の利用可能性】
【００４４】
以上の実施形態にて説明した本発明のシステムは各種のサービス形態に適用できる。例えばカード型媒体は、従来普及しているトレーディングカードやグリーティングカードに対する付加価値としてオンラインによるコンテンツ配信機能を導入したものとして市場展開できる可能性を持っている。あるいは、グラビアの印刷面の一部に本発明に係わるコードを印刷しておき、ぐら倍アイドルが個別のファンにメッセージ動画の配信をするといったのサービス提供も可能となる。
【００４５】
すなわち、本発明を用いることによって、動画像コンテンツを、コードを介してオンライン発信できるサービス提供が可能となる。本発明のシステムによって従来の商品に大きな付加価値を導入することができ、あるいは新しいビジネスを創造する可能性を提供することができる。
【符号の説明】
【００４６】
１０・・登録用のカード
２０・・受信・閲覧用のカード
３０・・携帯型情報端末
４０・・サーバ
５０・・インターネット
【図１】
2014216729.tif 000003
【図２】
2014216729.tif 000004
【図３】
2014216729.tif 000005
【図４】
2014216729.tif 000006
【図５】
2014216729.tif 000007
【図６】
2014216729.tif 000008